(57)【要約】  クランクウエブの外側面に回転中心軸を中心としピン孔を間に挟んで両端部(53p,53q;93p,93q)を有して形成される円弧状突条部(53,93)に、パルサプレート(60;100)が外嵌して同芯位置の位置決めがされ、パルサプレート(60;100)の内周縁から円弧状突条部(53;93)の両端部(53p,53q;93p,93q)の間をクランク軸部(51L;91L)側に突出する係合突部(64;104p,104q)が、クランクピン(55;95)のピン孔への嵌入構造の一部である被係合部(53p,53q;95e)に係合して相対回転位置の位置決めがされるクランクシャフトのパルサプレート取付構造とすることで、少ない加工工数で高い加工精度を要求されず、生産性の向上とコスト削減を図ることができる。
2020059360.tif 000002
【特許請求の範囲】
【請求項１】
内燃機関のクランクケースに回転自在に軸支されるクランク軸部の端部に、ピン孔を有するクランクアーム部とカウンタウエイト部を一体に備えるクランクウエブが形成され、  対向する一対の前記クランクウエブの少なくとも一方のピン孔にクランクピンの一端部を嵌入して組み立てられるクランクシャフトにおける前記クランクウエブ(52L;92L)の前記クランク軸部(51L;91L)側の外側面(52Ls,92Ls)に、円環状のパルサプレート(60;100)が重ね合わされて取り付けられるクランクシャフトのパルサプレート取付構造において、
一方の前記クランクウエブ(52L;92L)は、その外側面に回転中心軸(C)を中心とし、前記ピン孔(52Lh,92Lh)を間に挟んで両端部(53p,53q;93p,93q)を有する円弧状突条部(53,93)を有し、
前記パルサプレート(60;100)が前記クランクウエブ(52L;92L)の前記円弧状突条部(53,93)に外嵌して前記クランクウエブ(52L;92L)に対する前記パルサプレート(60;100)の同心位置の位置決めがなされ、
前記パルサプレート(60;100)は内周縁から前記クランクアーム部に沿って前記円弧状突条部(53;93)の両端部(53p,53q;93p,93q)の間を前記クランク軸部(51L;91L)側に突出する係合突部(64;104p,104q)を有し、
前記クランクピン(55;95)が前記ピン孔(52Lh;92Lh)に嵌入する嵌入構造の一部である被係合部(53p,53q;95e)に、前記係合突部(64;104p,104q)が係合して、前記クランクウエブ(52L;92L)に対する前記パルサプレート(60;104p,104q)の相対回転位置の位置決めがなされることを特徴とするクランクシャフトのパルサプレート取付構造。
【請求項２】
前記クランクウエブ(52L)の前記円弧状突条部(53)の前記ピン孔(52Lh)を間に挟む両端部(53p,53q)が、前記被係合部(53p,53q)であり、
前記パルサプレート(60)の前記係合突部(64)が、前記円弧状突条部(53)の前記被係合部(53p,53q)である両端部(53p,53q)の間に嵌入して係合することで、前記クランクウエブ(52L)に対する前記パルサプレート(60)の相対回転位置の位置決めがなされることを特徴とする請求項１に記載のクランクシャフトのパルサプレート取付構造。
【請求項３】
前記円弧状突条部(53)の前記被係合部である両端部(53p,53q)の端面(53pf,53qf)は、前記クランクウエブ(52L)の前記クランクアーム部(52La)に形成された前記ピン孔(52Lh)の内周面と同一面上にあることを特徴とする請求項２に記載のクランクシャフトのパルサプレート取付構造。
【請求項４】
前記円弧状突条部(53)の前記被係合部(53p,53q)である両端部(53p,53q)の端面は、前記ピン孔(52Lh)の内周面と同一面上にある円弧状端面(53pf,53qf)であり、
前記パルサプレート(60)の前記係合突部(64)は、前記円弧状突条部(53)の前記被係合部(53p,53q)である両端部(53p,53q)に形成された各円弧状端面(53pf,53qf)にそれぞれ接する円弧状側面(64pf,64qf)を有することを特徴とする請求項３に記載のクランクシャフトのパルサプレート取付構造。
【請求項５】
前記パルサプレート(60)は、前記クランクウエブ(52L)の外側面(52Ls)の前記ピン孔(52Lh)を挟んで両側に等分に離間した位置に溶接箇所(x,y,z)が設けられることを特徴とする請求項４に記載のクランクシャフトのパルサプレート取付構造。
【請求項６】
前記パルサプレート(60)は、その外周縁に複数の被検出歯(61)が配列され、
隣り合う前記被検出歯(61)の間隔は、一部特に大きい間隔の基準部位(62)を除き等間隔であり、
前記クランクウエブ(52L)は、前記パルサプレート(60)の前記基準部位(62)に対応する位置に切欠き溝部(52Lf)を有することを特徴とする請求項５に記載のクランクシャフトのパルサプレート取付構造。
【請求項７】
前記パルサプレート(60)の前記係合突部(64)は、前記クランクピン(55)の給油軸穴(55h)の開口の遠心側を覆うことを特徴とする請求項４ないし請求項６のいずれか１項に記載のクランクシャフトのパルサプレート取付構造。
【請求項８】
前記クランクウエブ(92L)の前記ピン孔(92Lh)に嵌入した前記クランクピン(95)の突出端部(95e)が、前記被係合部(95e)であり、
前記パルサプレート(100)の前記係合突部(104p,104q)が、前記パルサプレート(100)の内周面(103)から前記クランク軸部(91L)側に２本突出して、前記被係合部(95e)である前記クランクピン(95)の突出端部(95e)を両側から挟むようにして係合することで、前記クランクピン(95)を介して前記クランクウエブ(92L)に対する前記パルサプレート(100)の相対回転位置の位置決めがなされることを特徴とする請求項１に記載のクランクシャフトのパルサプレート取付構造。
【発明の詳細な説明】
【技術分野】
【０００１】
本発明は、内燃機関のクランクシャフトにパルサプレートが取り付けられるパルサプレート取付構造に関する。
【背景技術】
【０００２】
内燃機関における燃焼サイクルの状態を知るために、クランクシャフトの回転位置、回転速度および回転加速度等を検出することが行われている。
そのため、クランクシャフトのクランクウエブにパルサプレートが一体に取り付けられ、クランクシャフトの回転に伴うパルサプレートの外周縁に複数形成された突起（被検出歯）の移動を、回転センサが検出する例（例えば、特許文献１参照）がある。
【先行技術文献】
【特許文献】
【０００３】
【特許文献１】特開２００８−１９０５８４号公報
【０００４】
特許文献１では、クランクシャフトのクランクウエブの側面にキー溝を形成し、パルサプレートにはキー溝に対向する位置に弓なり帯状部を屈曲する連結部とともに突出して形成し、クランクウエブのキー溝にパルサプレートの弓なり帯状部が密に嵌合することで、クランクウエブに対するパルサプレートの相対回転位置の位置決めがなされる。【０００５】
さらに、キー溝に弓なり帯状部を嵌合した後に、ボルト締めされることで、パルサプレートはクランクウエブに固着される。
【発明の概要】
【発明が解決しようとする課題】
【０００６】
クランクシャフトにパルサプレートが精度良く取り付けられるために、特許文献１では、クランクウエブのキー溝にパルサプレートの弓なり帯状部が高い精度で密に嵌合する必要がある。
そのため、クランクウエブの側面にキー溝を精度良く機械加工して形成するとともに、パルサプレートの弓なり帯状部も連結部とともにプレス打ち抜きに加えてプレス盛り上げ加工などの追加工も精度良く行われることが要求される。【０００７】
このように、クランクウエブのキー溝とパルサプレートの弓なり帯状部の双方に、高い加工精度が要求されて誤差も生じやすい。
したがって、加工工数が増し、コスト高となる。
また、クランクウエブにパルサプレートを固着するボルトの締結部位も加工しなければならず、益々加工工数が増大している。【０００８】
本発明は、かかる点に鑑みなされたもので、その目的とする処は、少ない加工工数で、しかも高い加工精度を要求されず、生産性の向上とコスト削減を図ることができるクランクシャフトのパルサプレート取付構造を供する点にある。
【課題を解決するための手段】
【０００９】
上記目的を達成するために、本発明は、
クランクケースに回転自在に軸支されるクランク軸部の端部に、ピン孔を有するクランクアーム部とカウンタウエイト部を一体に備えるクランクウエブが形成され、
対向する一対の前記クランクウエブの少なくとも一方のピン孔にクランクピンの一端部を嵌入して組付けられる内燃機関のクランクシャフトにおける一方の前記クランクウエブの前記クランク軸部側の外側面に、円環状のパルサプレートが重ね合わされて取り付けられるクランクシャフトのパルサプレート取付構造において、
一方の前記クランクウエブは、その外側面に回転中心軸を中心とし、ピン孔を間に挟んで両端部を有する円弧状突条部を有し、
前記パルサプレートが前記クランクウエブの前記円弧状突条部に外嵌して前記クランクウエブに対する前記パルサプレートの同芯位置の位置決めがなされ、
前記パルサプレートは内周縁から前記クランクアーム部に沿って前記円弧状突条部の両端部の間を前記クランク軸部側に突出する係合突部を有し、
前記クランクピンが前記ピン孔に嵌入する嵌入構造の一部である被係合部に、前記係合突部が係合して、前記クランクウエブに対する前記パルサプレートの相対回転位置の位置決めがなされることを特徴とするクランクシャフトのパルサプレート取付構造を提供する。【００１０】
この構成によれば、一方のクランクウエブは、その外側面に回転中心軸を中心とし、ピン孔を間に挟んで両端部を有する円弧状突条部を有し、パルサプレートがクランクウエブの円弧状突条部に外嵌してクランクウエブに対するパルサプレートの同芯位置の位置決めがなされ、クランクピンがピン孔へ嵌入する既存の嵌入構造の一部を被係合部に利用し、この被係合部にパルサプレートの内周縁から突出する係合突部が係合して、クランクウエブに対するパルサプレートの相対回転位置の位置決めがなされるので、一方の被係合部は既存の嵌入構造の一部を利用し、他方のパルサプレートの内周縁から突出する係合突部は容易に精度良く加工しやすい。
したがって、加工工数が少なく、生産性の向上とコスト削減が図られるとともに、取付誤差も小さい。【００１１】
本発明の好適な実施形態では、
前記クランクウエブの前記円弧状突条部の前記ピン孔を間に挟む両端部が、前記被係合部であり、
前記パルサプレートの前記係合突部が、前記円弧状突条部の前記被係合部である両端部の間に嵌入して係合することで、前記クランクウエブに対する前記パルサプレートの相対回転位置の位置決めがなされる。【００１２】
この構成によれば、クランクウエブの円弧状突条部のピン孔を間に挟む両端部を被係合部として利用するので、加工工数を削減でき、生産性の向上とコストの低減を図ることができる。【００１３】
本発明の好適な実施形態では、
前記円弧状突条部の前記被係合部である両端部の端面は、前記クランクウエブの前記クランクアーム部に形成された前記ピン孔の内周面と同一面上にある。【００１４】
この構成によれば、円弧状突条部の被係合部である両端部の端面は、クランクウエブのクランクアーム部に形成されたピン孔の内周面と同一面上にあるので、クランクウエブのクランクアーム部にピン孔を切削加工することで、同時に円弧状突条部の被係合部である両端部を形成することができ、円弧状突条部の被係合部である両端部を後から特別に加工する必要がなく、益々加工工数が削減できるとともに、クランクピン位相に対する誤差を削減できて、クランクウエブに対するパルサプレートの相対回転位置の位置決め精度が向上し、よって内燃機関のクランク回転タイミング検出精度が向上して、点火時期制御等が正確になされて内燃機関の性能を高めることができる。
【００１５】
本発明の好適な実施形態では、
前記円弧状突条部の前記被係合部である両端部の端面は、前記ピン孔の内周面と同一面上にある円弧状端面であり、
前記パルサプレートの前記係合突部は、前記円弧状突条部の前記被係合部である両端部に形成された各前記円弧状端面にそれぞれ接する円弧状側面を有する。【００１６】
この構成によれば、パルサプレートの係合突部は、クランクウエブの円弧状突条部の被係合部である両端部に形成された各円弧状端面にそれぞれ接する円弧状側面を有するので、係合突部に折り曲げ加工を必要とせずに、パルサプレートを係合突部とともにプレス打ち抜き加工により成形することが可能であり、パルサプレートの加工工数が削減され、形状精度と生産性とを高めることができる。【００１７】
本発明の好適な実施形態では、
前記パルサプレートは、前記クランクウエブの外側面の前記ピン孔を挟んで両側に等分に離間した位置に溶接箇所(x,y,z)が設けられる。【００１８】
この構成によれば、パルサプレートは、クランクウエブの外側面のクランクピンが嵌入されるピン孔を挟んで両側に等分に離間した位置を溶接箇所として、溶接加工により一体に溶着されるので、溶接箇所の熱の影響を極力低減することが可能で、パルサプレートの取付スペースを削減でき、クランクシャフトの小型化を図ることができる。【００１９】
本発明の好適な実施形態では、
前記パルサプレートは、その外周縁に複数の被検出歯が配列され、
隣り合う前記被検出歯の間隔は、一部特に大きい間隔の基準部位を除き等間隔であり、  前記クランクウエブは、前記パルサプレートの前記基準部位に対応する位置に切欠き溝部を有する。【００２０】
この構成によれば、パルサプレートの隣り合う被検出歯の間隔は、一部特に大きい間隔の基準部位を除き等間隔であり、クランクウエブは、パルサプレートの基準部位に対応する位置に切欠き溝部を有するので、パルサプレートの被検出歯の全歯たけを小さくして小型化を図りつつ、クランクウエブの切欠き溝部によりパルサプレートの基準部位を精度良く検出することができる。【００２１】
本発明の好適な実施形態では、
前記パルサプレートの前記係合突部は、前記クランクピンの給油軸穴の開口の遠心側を覆う。【００２２】
この構成によれば、パルサプレートの係合突部は、クランクピンの給油軸穴の開口の遠心側を覆うので、クランクピンの給油軸穴に供給された潤滑油は、クランクピンの旋回による遠心力により給油軸穴の遠心側に偏り、この偏った潤滑油が給油軸穴の開口から流出するのを係合突部が阻止して、給油軸穴内の遠心側に潤滑油を溜めることができ、コネクティングロッドの軸受に効率良く供給することができる。
パルサプレートの係合突部が、給油軸穴内に潤滑油を溜めるための給油プレートを兼ねることで、部品点数を削減できる。【００２３】
本発明の好適な実施形態では、
前記クランクウエブの前記ピン孔に嵌入した前記クランクピンの突出端部が、前記被係合部であり、
前記パルサプレートの前記係合突部が、前記パルサプレートの内周面から前記クランク軸部側に２本突出して、前記前記被係合部である前記クランクピンの突出端部を両側から挟むようにして係合することで、前記クランクピンを介して前記クランクウエブに対する前記パルサプレートの相対回転位置の位置決めがなされる。【００２４】
この構成によれば、クランクウエブのピン孔に嵌入したクランクピンの端部を、被係合部として利用するので、加工工数を削減でき、生産性の向上とコストの低減を図ることができる。
【発明の効果】
【００２５】
本発明は、クランクウエブは、その外側面に回転中心軸を中心とし、ピン孔を間に挟んで両端部を有する円弧状突条部を有し、パルサプレートがクランクウエブの前記円弧状突条部に外嵌してクランクウエブに対するパルサプレートの同芯位置の位置決めがなされ、クランクピンのピン孔への嵌入する既存の嵌入構造の一部を被係合部に利用し、この被係合部にパルサプレートの内周縁から突出する係合突部が係合して、クランクウエブに対するパルサプレートの相対回転位置の位置決めがなされるので、一方の被係合部は既存の嵌入構造の一部を利用し、他方のパルサプレートの内周縁から突出する係合突部は容易に精度良く加工しやすい。
したがって、加工工数が少なく、生産性の向上とコスト削減が図られるとともに、取付誤差も小さい。
【図面の簡単な説明】
【００２６】
【図１】本発明の一実施の形態に係るクランクシャフトのパルサプレート取付構造を適用した内燃機関を搭載した自動二輪車の全体側面図である。
【図２】図１中II−II矢視によるパワーユニットの断面展開図である。
【図３】図２中のパワーユニットの要部拡大断面展開図である。
【図４】図２中IV−IV矢視によるパワーユニットの断面図である。
【図５】左側クランクシャフト半体の斜視図である。
【図６】同左側クランクシャフト半体の別の方向から視た斜視図である。
【図７】同左側クランクシャフト半体の回転中心軸方向から視た側面図である。
【図８】パルサプレートの回転中心軸方向から視た側面図である。
【図９】左側クランクシャフト半体とパルサプレートの分解斜視図である。
【図１０】左側クランクシャフト半体にパルサプレートを取り付けた状態を示す斜視図である。
【図１１】左側クランクシャフト半体にパルサプレートを取り付けた状態の回転中心軸方向から視た側面図である。
【図１２】別の実施形態に係る左側クランクシャフト半体（およびクランクピン）とパルサプレートの分解斜視図である。
【図１３】左側クランクシャフト半体（およびクランクピン）にパルサプレートを取り付けた状態を示す斜視図である。
【図１４】左側クランクシャフト半体にパルサプレートを取り付けた状態の回転中心軸方向から視た側面図である。
【発明を実施するための形態】
【００２７】
以下、本発明に係る一実施形態について図１ないし図１１に基づいて説明する。
図１は、本発明を適用した一実施形態に係るクランクシャフトのパルサプレート取付構造を適用した内燃機関を搭載した自動二輪車１の側面図である。
なお、本明細書の説明において、前後左右の向きは、本実施の形態に係る自動二輪車１の直進方向を前方とする通常の基準に従うものとし、図面において、ＦＲは前方を，ＲＲは後方を、ＬＨは左方を，ＲＨは右方を示すものとする。
【００２８】
本自動二輪車１は、スイング式パワーユニットを備えるスクータ型自動二輪車である。
自動二輪車１は、車体前部１Ａと車体後部１Ｂとが、低いフロア部１Ｃを介して連結されており、車体の骨格をなす車体フレーム２は、車体前部１Ａのヘッドパイプ２ａからダウンチューブ２ｂが下方へ延出し、ダウンチューブ２ｂは下端で水平に屈曲してフロア部１Ｃの下方を後方へ延び、その後端において車幅方向に配設された連結フレーム２ｃを介して、左右一対のメインパイプ２ｄが連結され、メインパイプ２ｄは連結フレーム２ｃから斜め後方に立ち上がって、途中、傾斜を緩めるように屈曲して後方に延びている。
【００２９】
メインパイプ２ｄにより燃料タンク11等が支持され、その上方から前方かけてシート12が配置されている。
一方、車体前部１Ａにおいては、ヘッドパイプ２ａに軸支されて上方にハンドル13が設けられ、下方にフロントフォーク14が延びて、その下端に前輪15が軸支されている。
【００３０】
メインパイプ２ｄの傾斜部の下端付近にブラケット24が突設され、ブラケット24にリンク部材25を介してパワーユニット３が揺動可能に連結支持されている。
パワーユニット３は、その前部が単気筒４ストロークの水冷式内燃機関（以下、単に「内燃機関」という。）30であり、パワーユニットケース５にクランクシャフト50を車幅方向に配して回転自在に軸支し、シリンダブロック31を略水平に近い状態にまで大きく前傾した姿勢にあって、パワーユニットケース５の下端から前方に突出したハンガアーム５ｈの端部が、メインパイプ２ｄのブラケット24に取付けられたリンク部材25に、ピボット軸26を介して連結されている。
【００３１】
パワーユニット３には、パワーユニットケース５の前方に略水平に大きく前傾してシリンダブロック31、シリンダヘッド32、シリンダヘッドカバー33が順次積み上げられるように締結されるほか、内燃機関30から後方にかけてベルト式無段変速機40が構成され、その後部に設けられた減速機構41の出力軸である後車軸42に後輪16が設けられている。
減速機構41のあるパワーユニットケース５の後部に立設されたブラケット５ｂと、メインパイプ２ｄの後部との間にリヤクッション17が介装されている。
【００３２】
自動二輪車１は車体カバー18を備え、車体前部１Ａは、フロントカバー18ａとレッグシールド18ｂにより前後から覆われフロントロアカバー18ｃにより下部を前方から左右側方にかけて覆われ、ハンドル13の中央部はハンドルカバー18ｄによって覆われる。
フロア部１Ｃはサイドカバー18ｅにより覆われ、また車体後部１Ｂは左右側方からボデイカバー18ｆによって覆われる。
【００３３】
図２は、パワーユニット３の、図１中II−II矢視による断面展開図である。
内燃機関30は、シリンダブロック31のシリンダスリーブ31ａ内を往復動するピストン34とクランクシャフト50のクランクピン55とをコネクティングロッド35が連結している。
ピストン34の頂部とシリンダヘッド32の間には燃焼室32ａが形成される。
【００３４】
パワーユニットケース５は、左右割りの左パワーユニットケース５Ｌと右パワーユニットケース５Ｒとを合体して構成されるもので、右パワーユニットケース５Ｒは、クランクケース部（本発明の「クランクケース」）５Ｃの右半体をなし、左パワーユニットケース５Ｌは、前部がクランクケース部５Ｃの左半体をなすとともに、後方に延設されて、クランクシャフト50と後輪16の間の前後に長尺のベルト式無段変速機40と減速機構41等を含む伝動装置を収容する伝動ケースを形成する。
【００３５】
左パワーユニットケース５Ｌの前後長尺の伝動ケースの左側開放面は、変速機ケースカバー43により覆われ、内部にベルト式無段変速機40が収納される。
左パワーユニットケース５Ｌの前部と右パワーユニットケース５Ｒとの合体によるクランクケース部５Ｃ内には、クランクシャフト50が車幅方向に配向されて左右の主ベアリング45Ｌ，45Ｒに回転自在に支持され、左右水平方向に延びた延出部のうち右延出部にはカムチェーン駆動スプロケット46とオイルポンプ駆動ギヤ47、およびＡＣジェネレータ48が設けられ、左延出部にはベルト式無段変速機40の駆動プーリ49が設けられる。
【００３６】
図２および図３を参照して、本クランクシャフト50は、パワーユニットケース５のクランクケース部５Ｃの左右の軸受壁５ＣL，５ＣRに主ベアリング45Ｌ，45Ｒを介して左右クランク軸部51Ｌ，51Ｒが回転自在に軸支されて支持される。
左右クランク軸部51Ｌ，51Ｒの端部に、それぞれ左右クランクウエブ52Ｌ，52Ｒが一体に形成されている。
【００３７】
図６を参照して、クランクウエブ52Ｌ（52Ｒ）は、ピン孔52Ｌｈ（52Ｒｈ）を有するクランクアーム部52Ｌa（52Ｒa）とカウンタウエイト部52Ｌw（52Ｒw）を一体に備える。
そして、対向する左右一対のクランクウエブ52Ｌ，52Ｒの各ピン孔52Ｌｈ，52Ｒｈにクランクピン55の両端部をそれぞれ嵌入してクランクシャフト50が組み立てられる（図３参照）。
左右のクランク軸部51Ｌ，51Ｒは、同軸の回転軸とし、相対向する左右のクランクウエブ52Ｌ，52Ｒの間をクランクピン55が回転軸から偏心して連結している。
【００３８】
図５および図６は、左側のクランク軸部51Ｌと、その端部に一体にクランクウエブ52Ｌが形成された左側クランクシャフト半体ＣＬを示す斜視図である。
クランク軸部51Ｌには、クランクウエブ52Ｌ近傍の付け根部分が若干拡径したジャーナル部51Ｌｊが形成されている。
クランク軸部51Ｌは、ジャーナル部51Ｌｊを主ベアリング45Ｌにより軸支される。
【００３９】
クランクウエブ52Ｌのクランクアーム部52Ｌaには、ピン孔52Ｌｈが形成されている。
そして、クランクウエブ52Ｌのクランク軸部51Ｌ側の外側面52Ｌｓには、回転中心軸Ｃを中心とし、ピン孔52Ｌｈを間に挟んで両端部53ｐ，53ｑを有する円弧状突条部53（図中で散点模様を付している）が突出して形成されている。
【００４０】
円弧状突条部53は、外周面53oと内周面53ｉと突出端面53ｃを有し、同突出端面53ｃは回転中心軸Ｃに垂直な平面をなす。
クランクウエブ52Ｌのピン孔52Ｌｈは、切削加工により形成され、その際に元々円環状をしていた円環状突条部が同時に切削されて、円弧状突条部53の両端部53ｐ，53ｑにピン孔52Ｌｈの内周面と同一面上の円弧状端面53pf，53qfが形成されている。
【００４１】
図７を参照して、円弧状突条部53の円弧状端面53pf，53qfは、ピン孔52Ｌｈの内周面のうち回転中心軸Ｃ側の半円弧の両端部の周辺に形成されている。
また、クランクウエブ52Ｌの外側面52Ｌｓの外周縁には、ピン孔52Ｌｈと所定の回転角度位置に基準となる円弧状の切欠き溝部52Ｌｆを有する。
なお、クランク軸部51Ｌのジャーナル部51Ｌｊには、ピン孔52Ｌｈのある回転角度位置に油溝51Ｌｖが軸方向に指向して形成されている。
【００４２】
他方、右側クランクシャフト半体は、左側クランクシャフト半体ＣＬの円弧状突条部53と切欠き溝部52Ｌｆと油溝51Ｌｖを除き、左側クランクシャフト半体ＣＬと左右対称にクランクウエブ52Ｒおよびクランク軸部51Ｒを有する。
【００４３】
左側クランクシャフト半体ＣＬのクランクウエブ52Ｌの外側面52Ｌｓに、円環状のパルサプレート60が重ね合わされて取り付けられる（図９，図１０参照）。
図８に示されるように、円環状のパルサプレート60は、外周縁に複数の被検出歯61が配列され、隣り合う被検出歯61，61の間隔は、一部特に大きい間隔の基準部位62を除き等間隔である。
【００４４】
図７および図８を参照して、パルサプレート60の歯先円直径Ｐａは、クランクウエブ52Ｌの外径Ｄａより若干大きく、パルサプレート60の歯底円直径Ｐｂは、クランクウエブ52Ｌの外径Ｄａより小さい。
円環状のパルサプレート60の内周面63の内径Ｐｉは、クランクウエブ52Ｌの外側面52Ｌｓに突出形成された円弧状突条部53の外周面53ｏの外径Ｄｏと等しい。
【００４５】
このパルサプレート60の内周面63から中心側に係合突部64が矩形状に突出している。
係合突部64の両側部64ｐ，64ｑは、クランクウエブ52Ｌの前記円弧状突条部53の両端部53ｐ，53ｑの円弧状端面53pf，53qfの一部に合致する円弧状側面64pf，64qfを有する。
なお、係合突部64の両側部64ｐ，64ｑの両側面は、円弧状側面64pf，64qfでなくともクランクウエブ52Ｌの円弧状突条部53の両端部53ｐ，53ｑの円弧状端面53pf，53qfの一部に合致する平坦状側面としてもよい。
【００４６】
したがって、クランクウエブ52Ｌの前記円弧状突条部53の両端部53ｐ，53ｑは、パルサプレート60の係合突部64が係合する被係合部53ｐ，53ｑである。
なお、パルサプレート60の内周面63から矩形状に突出する係合突部64の円弧状側面64pf，64qfと内周面63とが形成する角部は、小円孔65が穿孔されている。
パルサプレート60は、以上のような板状をして、係合突部に折り曲げ部を有しないので、プレス打ち抜き加工により、成形することができる。
【００４７】
図９に示されるように、左側クランクシャフト半体ＣＬのクランクウエブ52Ｌの外側面52Ｌｓに、円環状のパルサプレート60を対向させ、クランクウエブ52Ｌの円弧状突条部53の外周面53ｏにパルサプレート60の内周面63を合わせるとともに、クランクウエブ52Ｌの円弧状突条部53の両端部（被係合部）53ｐ，53ｑの円弧状端面53pf，53qfにパルサプレート60の係合突部64の両側部64ｐ，64ｑの円弧状側面64pf，64qfを合わせて、図１０に示されるように、クランクウエブ52Ｌの円弧状突条部53にパルサプレート60を外嵌し、クランクウエブ52Ｌの外側面52Ｌｓにパルサプレート60を当接する。
【００４８】
パルサプレート60がクランクウエブ52Ｌの円弧状突条部53に外嵌して、クランクウエブ52Ｌに対するパルサプレート60の同芯位置の位置決めがなされ、パルサプレート60の係合突部64がクランクウエブ52Ｌの円弧状突条部53の被係合部である両端部53ｐ，53ｑに係合して、クランクウエブ52Ｌに対するパルサプレート60の相対回転位置の位置決めがなされる。
【００４９】
このとき、パルサプレート60の内周面63から突出する係合突部64の円弧状側面64pf，64qfと内周面63とが形成する一対の角部に小円孔65，65が設けられているので、クランクウエブ52Ｌの円弧状突条部53の両端部53ｐ，53ｑの円弧状端面53pf，53qfと外周面53ｏとが形成する一対の角部を小円孔65，65が囲うようにして覆って接することがなく、クランクウエブ52Ｌに対するパルサプレート60の相対回転位置の位置決めがなされる。
そのため、パルサプレート60に高い加工精度が要求されずに済む。
【００５０】
クランクウエブ52Ｌに対するパルサプレート60の相対回転位置の位置決めがなされると、クランクウエブ52Ｌの外側面52Ｌｓの外周縁に形成された円弧状の切欠き溝部52Ｌｆに、パルサプレート60の隣り合う被検出歯61，61間の間隔が特に大きい基準部位62が対応する。
【００５１】
こうして、クランクウエブ52Ｌの外側面52Ｌｓに、同芯位置および相対回転位置の位置決めがなされて、パルサプレート60が重ね合わされて組付けられたところで、図１１を参照して、パルサプレート60の内周面63に沿った３箇所をスポット溶接することで、クランクウエブ52Ｌにパルサプレート60を一体に溶着する。
【００５２】
３つの溶接箇所ｘ，ｙ，ｚは、クランクピン55が嵌入されるピン孔52Ｌｈを挟んで両側に等分に離間した位置にあり、図９において、溶接箇所ｘ，ｙは、ピン孔52Ｌｈを挟んで両側に、溶接箇所ｚは、回転中心軸Ｃに関してピン孔52Ｌｈと反対位置にある。
溶接箇所ｘ，ｙ，ｚは互いに等間隔である。
【００５３】
左側クランクシャフト半体ＣＬと右側クランクシャフト半体ＣRは、互いに対向するクランクウエブ52Ｌ，52Ｒを、クランクピン55が両端をピン孔52Ｌｈ，52Ｒｈに嵌入して一体に連結し、クランクシャフト50を構成する。
その際、クランクピン55の中央部にコネクティングロッド35の大端部35ｂをニードルベアリング54を介して軸支させておく。
【００５４】
図３を参照して、クランクシャフト50は、左右のクランク軸部51Ｌ，51Ｒのジャーナル部51Ｌｊ，51Ｒｊがパワーユニットケース５のクランクケース部５Ｃの左右の軸受壁５ＣL，５ＣRに主ベアリング45Ｌ，45Ｒを介して回転自在に軸支される。
【００５５】
左側クランクシャフト半体ＣＬのクランクウエブ52Ｌの外側面52Ｌｓに、同芯位置および相対回転位置の位置決めがされて重ね合わされ溶接されたパルサプレート60は、クランクケース部５Ｃの主ベアリング45Ｌの周りの左側軸受壁５ＣLに対面した位置にある。
図４を参照して、左パワーユニットケース５Ｌのクランクケース部５Ｃにおける周壁５Ｌｓには、パルサプレート60の斜め後上方にセンサ取付ボス部５Ｌsbが形成されている。
【００５６】
このセンサ取付ボス部５Ｌsbの取付孔に、パルサセンサ70がクランクシャフト50の回転中心軸Ｃに向けて外側から嵌挿される。
パルサセンサ70は、後輪16の前方近傍に位置する。
【００５７】
パルサセンサ70の周壁５Ｌｓから突出した先端の検出部70ｓが、パルサプレート60の被検出歯61が形成された外周面に臨む。
よって、パルサセンサ70は、検出部70ｓにより回転するクランクシャフト50と一体に回転するパルサプレート60の旋回する被検出歯61の近接による磁束変化を検知することで、クランクシャフト50の回転角度を検出する。
【００５８】
図３を参照して、クランクシャフト50の左右のクランクウエブ52Ｌ，52Ｒを連結するクランクピン55は、給油軸穴55ｈにより有底円筒状をなしており、給油軸穴55ｈは左方を開口している。
そして、クランクピン55の給油軸穴55ｈの左右中央部の回転中心軸Ｃから遠い遠心側の内周面から遠心方向に供給油路55ｄが穿孔されており、供給油路55ｄの遠心側開口は、ニードルベアリング54に臨んでいる。
【００５９】
図３および図１１に示されるように、クランクピン55の給油軸穴55ｈの左方開口は、回転中心軸Ｃから遠い遠心側が前記パルサプレート60の係合突部64により覆われている。
本パルサプレート60の係合突部64は、給油軸穴55ｈの開口の回転中心軸Ｃから近い間隙55ｓを除く遠心側を大きく覆っている。
【００６０】
パルサプレート60の係合突部64がクランクピン55の給油軸穴55ｈの開口の遠心側を覆うことで形成される間隙55ｓから潤滑油が給油軸穴55ｈに流入する。
主ベアリング45Ｌとクランクピン55との間には、油溜まり59が形成されており、油溜まり59と給油軸穴55ｈが間隙55ｓで連通している。
また、油溜まり59にはクランク軸部51Ｌのジャーナル部51Ｌｊに軸方向に指向して形成された油溝51Ｌｖが連通している。
【００６１】
図３を参照して、左側のクランク軸部51Ｌを軸支する左側の主ベアリング45Ｌは、左側クランクウエブ52Ｌの外側面52Ｌｓに対向し、特に主ベアリング45Ｌのアウタレース45Ｌｏはパルサプレート60に対向して、主ベアリング45Ｌのインナレース45Ｌｉがクランク軸部51Ｌのジャーナル部51Ｌｊに嵌着し、アウタレース45Ｌｏがクランクケース部５Ｃの軸受壁５ＣLに嵌着されている。
【００６２】
軸受壁５ＣLは、主ベアリング45Ｌのアウタレース45Ｌｏを嵌合する嵌合穴の左側に、穴径を縮径した縮径壁部５ＣLwと同縮径壁部５ＣLwの内周から軸方向外側に延びる円筒壁部５ＣLsを形成している。
【００６３】
クランク軸部51Ｌが貫通する円筒壁部５ＣLsの内側には、クランク軸部51Ｌとの間にオイルシール56が介装されて、オイルシール56と主ベアリング45Ｌとの間に油室58が形成されている。
油室58にはオイルポンプ（不図示）から延びる油通路57が連通している。
【００６４】
左側の主ベアリング45Ｌのインナレース45Ｌｉが嵌合するクランク軸部51Ｌのジャーナル部51Ｌｊに軸方向に指向して形成された油溝51Ｌｖにより主ベアリング45Ｌの左側の油室58と右側の油溜まり59とが連通している。
【００６５】
したがって、オイルポンプから油通路57を通って油室58に流入した潤滑油は、油溝51Ｌｖを通って主ベアリング45Ｌとクランクピン55との間の油溜まり59に入り、さらにパルサプレート60の係合突部64がクランクピン55の給油軸穴55ｈの開口の遠心側を覆うことで形成される間隙55ｓから給油軸穴55ｈに給油される。
【００６６】
内燃機関30が稼働してクランクシャフト50が回転しているときは、クランクピン55は旋回しており、給油軸穴55ｈに流入した潤滑油は、パルサプレート60の係合突部64により開口の遠心側が塞がれた給油軸穴55ｈの遠心側に遠心力により偏って溜まる。
給油軸穴55ｈの遠心側に溜まった潤滑油は、供給油路55ｄを遠心方向に流れてニードルベアリング54に供給され、ニードルベアリング54を潤滑する。
【００６７】
以上、詳細に説明した本発明に係るクランクシャフトのパルサプレート取付構造の一実施の形態では、以下に記す効果を奏する。
図９および図１０に示すように、クランクシャフト50の一方のクランクウエブ52Ｌは、その外側面52Ｌｓに回転中心軸Ｃを中心とし、ピン孔52Ｌｈを間に挟んで両端部53ｐ，53ｑを有する円弧状突条部53を有し、このクランクウエブ52Ｌの円弧状突条部53にパルサプレート60が外嵌してクランクウエブ52Ｌに対するパルサプレート60の同芯位置の位置決めがなされる。
【００６８】
また、クランクピン55がピン孔52Ｌｈへ嵌入する既存の嵌入構造の一部である円弧状突条部53の両端部53ｐ，53ｑを被係合部に利用し、この被係合部である両端部53ｐ，53ｑにパルサプレート60の内周縁から突出する係合突部64が係合して、クランクウエブ52Ｌに対するパルサプレート60の相対回転位置の位置決めがなされる。
【００６９】
そのため、一方の被係合部は既存の嵌入構造の一部である円弧状突条部53の両端部53ｐ，53ｑを利用し、他方のパルサプレート60の内周縁から突出する係合突部64は容易に精度良く加工しやすい。
したがって、加工工数が少なく、生産性の向上とコスト削減が図られるとともに、取付誤差も小さい。
【００７０】
図６および図７に示されるように、円弧状突条部53の両端部53ｐ，53ｑの端面は、クランクウエブに形成されたピン孔の内周面と同一面上にあり、クランクウエブ52Ｌのクランクアーム部52Ｌaにピン孔52Ｌｈを切削加工することで、同時に円弧状突条部53の被係合部である両端部53ｐ，53ｑが形成されるので、円弧状突条部53の被係合部である両端部53ｐ，53ｑを後から特別に加工する必要がなく、益々加工工数が削減できるとともに、クランクピン位相に対する誤差を削減できて、クランクウエブ52Ｌに対するパルサプレート60の相対回転位置の位置決め精度が向上し、よって内燃機関30のクランク回転タイミング検出精度が向上して、点火時期制御等が正確になされて内燃機関の性能を高めることができる。
【００７１】
図７ないし図９に示されるように、パルサプレート60の係合突部64は、クランクウエブ52Ｌの円弧状突条部53の被係合部である両端部53ｐ，53ｑに形成されたピン孔の内周面と同一面上にある各円弧状端面53pf，53qfにそれぞれ接する円弧状側面64pf，64qfを有するので、係合突部64に折り曲げ加工等を必要とせずに、パルサプレート60を係合突部64とともにプレス打ち抜き加工により成形することが可能であり、パルサプレート60の加工工数が削減され、形状精度と生産性とを高めることができる。
【００７２】
図１１を参照して、パルサプレート60は、クランクウエブ52Ｌの外側面52Ｌｓに、クランクピンが嵌入されるピン孔52Ｌｈを挟んで両側に等分に離間した位置を溶接箇所ｘ，ｙ，ｚとして、溶接加工により一体に溶着されるので、溶接箇所ｘ，ｙ，ｚの熱の影響を極力低減することが可能で、パルサプレート60の取付スペースを削減でき、クランクシャフト50の小型化を図ることができる。
【００７３】
パルサプレート60の隣り合う被検出歯61，61の間隔は、一部特に大きい間隔の基準部位を除き等間隔であり、図１０に示されるように、クランクウエブ52Ｌは、パルサプレートの基準部位62に対応する位置に切欠き溝部52Ｌｆを有するので、パルサプレート60の被検出歯61の全歯たけを小さくして小型化を図りつつ、クランクウエブ52Ｌの切欠き溝部52Ｌｆによりパルサプレート60の基準部位62を精度良く検出することができる。
【００７４】
図３に示されるように、パルサプレート60の係合突部64は、クランクピン55の給油軸穴55ｈの開口の遠心側を覆うので、クランクピン55の給油軸穴55ｈに供給された潤滑油は、クランクピン55の旋回による遠心力により給油軸穴55ｈの遠心側に偏り、この偏った潤滑油が給油軸穴55ｈの開口から流出するのを係合突部64が阻止して、給油軸穴55ｈ内の遠心側に潤滑油を溜めることができ、溜められた潤滑油は油通路57を通ってコネクティングロッド35の大端部35ｂの軸受であるニードルベアリング54に効率良く供給することができる。
パルサプレート60の係合突部64が、給油軸穴55ｈ内に潤滑油を溜めるための給油プレートを兼ねることで、部品点数を削減できる。
【００７５】
次に本発明の別の実施形態に係るクランクシャフトのパルサプレート取付構造について、図１２ないし図１４に基づき説明する。
本クランクシャフト90は、先の実施形態のクランクシャフト50と多少形状が異なる点がある以外同じである。
【００７６】
図１２は、クランクピン95をクランクウエブ92Ｌのピン孔92Ｌｈに嵌入した左側クランクシャフト半体とパルサプレートの分解斜視図である。
同図１２を参照して、左側クランクシャフト半体は、左側クランクウエブ92Ｌのクランク軸部91Ｌ側（外側）の外側面92Ｌｓに円弧状突条部93が突出形成されているが、同円弧状突条部93におけるピン孔92Ｌｈを間に挟む両端部93ｐ，93ｑがそれぞれピン孔92Ｌｈから所定距離離れた位置にある。
【００７７】
左側クランクウエブ92Ｌのピン孔92Ｌｈには、クランクピン95の給油軸穴95ｈの開口を有する端部が嵌入され、この端部はピン孔92Ｌｈを貫通して左側クランクウエブ92Ｌの外側面92Ｌｓから突出端部95ｅを突出させている。
この突出端部95ｅの端面95ecは、左側クランクウエブ92Ｌの円弧状突条部93の突出端面93ｃと同一面上にある。
【００７８】
円弧状突条部93の両端部93ｐ，93ｑは、クランクピン95の突出端部95ｅから所定の間隔を存して離れている。
なお、クランク軸部91Ｌのジャーナル部91Ｌｊには、ピン孔92Ｌｈのある回転角度位置に油溝91Ｌｖが軸方向に指向して形成されている。
【００７９】
一方で、パルサプレート100は、外周縁に、前記パルサプレート60と同様に、複数の被検出歯61が配列され、隣り合う被検出歯101，101の間隔は、一部特に大きい間隔の基準部位102を除き等間隔である。
円弧状突条部93の外周面93ｏの外径Ｄｏと等しい内径を有するパルサプレート100の内周面103からは、中心側に一対の係合突部104ｐ，104ｑが互いにクランクピン95の外径Ｄｐに等しい間隔を有して先細に突出している。
【００８０】
一対の係合突部104ｐ，104ｑの互いに対向する側面104pf，104qfは、間隔Ｄｐを存して平行である。
パルサプレート100の係合突部104ｐ，104ｑ間の内周面103ｃは、ピン孔92Ｌｈよりも外周の被検出歯101に近づいて他の内周面103より深く、ピン孔92Ｌｈより嵌入したクランクピン95の突出端部95ｅを避ける位置にある。
【００８１】
クランクピン95のピン孔92Ｌｈを貫通して左側クランクウエブ92Ｌの外側面92Ｌｓから突出した突出端部95ｅが、パルサプレート100の内周面103から中心側に突出する一対の係合突部104ｐ，104ｑが係合する被係合部95ｅである。
【００８２】
すなわち、左側クランクウエブ92Ｌの円弧状突条部93の外周面93ｏにパルサプレート100の内周面103を合わせるとともに、左側クランクウエブ92Ｌの外側面92Ｌｓから突出したクランクピン95の突出端部（被係合部）95ｅを挟む位置にパルサプレート100の一対の係合突部104ｐ，104ｑを合わせて、図１３に示されるように、左側クランクウエブ92Ｌの円弧状突条部53にパルサプレート100を外嵌する。
【００８３】
パルサプレート100の一方の係合突部104ｐは、クランクピン95の突出端部95ｅと左側クランクウエブ92Ｌの円弧状突条部93の一方の端部93ｐとの間に位置し、パルサプレート100の他方の係合突部104ｑは、クランクピン95の突出端部95ｅと左側クランクウエブ92Ｌの円弧状突条部93の他方の端部93ｑとの間に位置する。
【００８４】
こうして、パルサプレート100が左側クランクウエブ92Ｌの円弧状突条部93に外嵌して、左側クランクウエブ92Ｌに対するパルサプレート100の同芯位置の位置決めがなされ、パルサプレート100の係合突部104ｐ，104ｑがクランクピン95の突出端部（被係合部）95ｅを両側から挟むようにして係合することで、クランクピン95を介して左側クランクウエブ92Ｌに対するパルサプレート100の相対回転位置の位置決めがなされる。
【００８５】
こうして、クランクウエブ92Ｌの外側面92Ｌｓに、同芯位置および相対回転位置の位置決めがなされて、パルサプレート100が重ね合わされて組付けられたところで、図１４を参照して、パルサプレート100の内周面103に沿った３箇所ｘ，ｙ，ｚをスポット溶接することで、クランクウエブ92Ｌにパルサプレート100を一体に溶着する。
【００８６】
左側クランクウエブ92Ｌのピン孔92Ｌｈに嵌入したクランクピン95の突出端部95ｅを、被係合部として利用するので、加工工数を削減でき、生産性の向上とコストの低減を図ることができる。
【００８７】
以上、本発明に係る２つの実施の形態に係るクランクシャフトのパルサプレート取付構造について説明したが、本発明の態様は、上記実施の形態に限定されず、本発明の要旨の範囲で、多様な態様で実施されるものを含むものである。
例えば、本発明は、一対のクランクウエブのうち一方のクランクウエブには、クランクピンが一体に形成されており、他方のクランクウエブに形成されたピン孔に一方のクランクウエブのクランクピンを嵌入して組み立てられるクランクシャフトにも適用できる。
【符号の説明】
【００８８】
１…自動二輪車（スクータ型自動二輪車)、２…車体フレーム、２ａ…ヘッドパイプ、２ｂ…ダウンチューブ、２ｃ…連結フレーム、2ｄ…メインパイプ、24…ブラケット、３…パワーユニット、４…伝動ケース、
５…パワーユニットケース、５Ｌ…左パワーユニットケース、５Ｒ…右パワーユニットケース、５Ｃ…クランクケース部（本発明の「クランクケース」）、５ＣL，５ＣR…軸受壁、５Ｃｗ…前下部周壁、５ｂ…ブラケット、５ｈ…ハンガアーム、５Ｌ…左パワーユニットケース、５Ｒ…右パワーユニットケース、24…ブラケット、24ａ…支持軸、25…リンク部材、26…ピボット軸、
30…内燃機関（水冷式内燃機関）、31…シリンダブロック、31ａ…シリンダスリーブ、32…シリンダヘッド、34…ピストン、35…コネクティングロッド、40…ベルト式無段変速機、41…減速機構、43…変速機ケースカバー、45Ｌ，45Ｒ…主ベアリング、46…カムチェーン駆動スプロケット、47…オイルポンプ駆動ギヤ、48…ＡＣジェネレータ、49…駆動プーリ、
50…クランクシャフト、ＣＬ…左側クランクシャフト半体、
51Ｌ，51Ｒ…クランク軸部、51Ｌｊ…ジャーナル部、51Ｌｖ…油溝、
52Ｌ，52Ｒ…クランクウエブ、52Ｌa，52Ｒa…クランクアーム部、52Ｌｈ，52Ｒｈ…ピン孔、52Ｌw，52Ｒw…カウンタウエイト部、52Ｌｓ…外側面、52Ｌｆ…切欠き溝部、53…円弧状突条部、53ｏ…外周面、53ｉ…内周面、53ｃ…突出端面、53ｐ，53ｑ…端部（被係合部）、53pf，53qf…円弧状端面、54…ニードルベアリング、
55…クランクピン、55ｈ…給油軸穴、55ｄ…供給油路、55ｓ…間隙、56…オイルシール、57…油通路、58…油室、59…油溜まり、
60…パルサプレート、61…被検出歯、62…基準部位、63…内周面、64…係合突部、64ｐ，64ｑ…側部、64pf，64qf…円弧状側面（または平坦状側面）、65…小円孔、
70…パルサセンサ、
90…クランクシャフト、
91Ｌ…クランク軸部、91Ｌｊ…ジャーナル部、92Ｌ…クランクウエブ、92Ｌa…クランクアーム部、92Ｌｈ…ピン孔、92Ｌw…カウンタウエイト部、92Ｌｓ…外側面、92Ｌｆ…切欠き溝部、93…円弧状突条部、93ｏ…外周面、93ｃ…突出端面、93ｐ，93ｑ…端部、
95…クランクピン、95ｅ…突出端部（被係合部）、95ec…端面、
100…パルサプレート、101…被検出歯、102…基準部位、103，103ｃ…内周面、104ｐ，104ｑ…係合突部。
【図１】
2020059360.tif 000003
【図２】
2020059360.tif 000004
【図３】
2020059360.tif 000005
【図４】
2020059360.tif 000006
【図５】
2020059360.tif 000007
【図６】
2020059360.tif 000008
【図７】
2020059360.tif 000009
【図８】
2020059360.tif 000010
【図９】
2020059360.tif 000011
【図１０】
2020059360.tif 000012
【図１１】
2020059360.tif 000013
【図１２】
2020059360.tif 000014
【図１３】
2020059360.tif 000015
【図１４】
2020059360.tif 000016
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
内燃機関のクランクケースに回転自在に軸支されるクランク軸部の端部に、ピン孔を有するクランクアーム部とカウンタウエイト部を一体に備えるクランクウエブが形成され、
対向する一対の前記クランクウエブの少なくとも一方のピン孔にクランクピンの一端部を嵌入して組み立てられるクランクシャフトにおける前記クランクウエブ（５２Ｌ；９２Ｌ）の前記クランク軸部（５１Ｌ；９１Ｌ）側の外側面（５２Ｌｓ，９２Ｌｓ）に、円環状のパルサプレート（６０；１００）が重ね合わされて取り付けられるクランクシャフトのパルサプレート取付構造において、
一方の前記クランクウエブ（５２Ｌ；９２Ｌ）は、その外側面に、前記ピン孔（５２Ｌｈ，９２Ｌｈ）を間に挟んで両端部（５３ｐ，５３ｑ；９３ｐ，９３ｑ）を有する突条部（５３，９３）を有し、
前記パルサプレート（６０；１００）が前記クランクウエブ（５２Ｌ；９２Ｌ）の前記突条部（５３，９３）に外嵌して前記クランクウエブ（５２Ｌ；９２Ｌ）に対する前記パルサプレート（６０；１００）の同心位置の位置決めがなされ、
前記パルサプレート（６０；１００）は内周縁から前記クランクアーム部に沿って前記突条部（５３；９３）の両端部（５３ｐ，５３ｑ；９３ｐ，９３ｑ）の間を前記クランク軸部（５１Ｌ；９１Ｌ）側に突出する係合突部（６４；１０４ｐ，１０４ｑ）を有し、
前記クランクピン（５５；９５）が前記ピン孔（５２Ｌｈ；９２Ｌｈ）に嵌入する嵌入構造の一部である被係合部（５３ｐ，５３ｑ；９５ｅ）に、前記係合突部（６４；１０４ｐ，１０４ｑ）が係合して、前記クランクウエブ（５２Ｌ；９２Ｌ）に対する前記パルサプレート（６０；１０４ｐ，１０４ｑ）の相対回転位置の位置決めがなされることを特徴とするクランクシャフトのパルサプレート取付構造。
【請求項２】
前記突条部（５３；９３）は、一方の前記クランクウエブ（５２Ｌ；９２Ｌ）の外側面に回転中心軸（Ｃ）を中心とする円弧状突条部（５３，９３）であることを特徴とする請求項１に記載のクランクシャフトのパルサプレート取付構造。
【請求項３】
前記クランクウエブ（５２Ｌ）の前記円弧状突条部（５３）の前記ピン孔（５２Ｌｈ）を間に挟む両端部（５３ｐ，５３ｑ）が、前記被係合部（５３ｐ，５３ｑ）であり、
前記パルサプレート（６０）の前記係合突部（６４）が、前記円弧状突条部（５３）の前記被係合部（５３ｐ，５３ｑ）である両端部（５３ｐ，５３ｑ）の間に嵌入して係合することで、前記クランクウエブ（５２Ｌ）に対する前記パルサプレート（６０）の相対回転位置の位置決めがなされることを特徴とする請求項２に記載のクランクシャフトのパルサプレート取付構造。
【請求項４】
前記円弧状突条部（５３）の前記被係合部である両端部（５３ｐ，５３ｑ）の端面（５３ｐｆ，５３ｑｆ）は、前記クランクウエブ（５２Ｌ）の前記クランクアーム部（５２Ｌａ）に形成された前記ピン孔（５２Ｌｈ）の内周面と同一面上にあることを特徴とする請求項３に記載のクランクシャフトのパルサプレート取付構造。
【請求項５】
前記円弧状突条部（５３）の前記被係合部（５３ｐ，５３ｑ）である両端部（５３ｐ，５３ｑ）の端面は、前記ピン孔（５２Ｌｈ）の内周面と同一面上にある円弧状端面（５３ｐｆ，５３ｑｆ）であり、
前記パルサプレート（６０）の前記係合突部（６４）は、前記円弧状突条部（５３）の前記被係合部（５３ｐ，５３ｑ）である両端部（５３ｐ，５３ｑ）に形成された各円弧状端面（５３ｐｆ，５３ｑｆ）にそれぞれ接する円弧状外周面（６４ｐｆ，６４ｑｆ）を有することを特徴とする請求項４に記載のクランクシャフトのパルサプレート取付構造。
【請求項６】
前記パルサプレート（６０）は、前記クランクウエブ（５２Ｌ）の外側面（５２Ｌｓ）の前記ピン孔（５２Ｌｈ）を挟んで両側に等分に離間した位置に溶接箇所（ｘ，ｙ，ｚ）が設けられることを特徴とする請求項５に記載のクランクシャフトのパルサプレート取付構造。
【請求項７】
前記パルサプレート（６０）は、その外周縁に複数の被検出歯（６１）が配列され、
隣り合う前記被検出歯（６１）の間隔は、一部特に大きい間隔の基準部位（６２）を除き等間隔であり、
前記クランクウエブ（５２Ｌ）は、前記パルサプレート（６０）の前記基準部位（６２）に対応する位置に切欠き溝部（５２Ｌｆ）を有することを特徴とする請求項６に記載のクランクシャフトのパルサプレート取付構造。
【請求項８】
前記パルサプレート（６０）の前記係合突部（６４）は、前記クランクピン（５５）の給油軸穴（５５ｈ）の開口の遠心側を覆うことを特徴とする請求項５ないし請求項７のいずれか１項に記載のクランクシャフトのパルサプレート取付構造。
【請求項９】
前記クランクウエブ（９２Ｌ）の前記ピン孔（９２Ｌｈ）に嵌入した前記クランクピン（９５）の突出端部（９５ｅ）が、前記被係合部（９５ｅ）であり、
前記パルサプレート（１００）の前記係合突部（１０４ｐ，１０４ｑ）が、前記パルサプレート（１００）の内周面（１０３）から前記クランク軸部（９１Ｌ）側に２本突出して、前記被係合部（９５ｅ）である前記クランクピン（９５）の突出端部（９５ｅ）を両側から挟むようにして係合することで、前記クランクピン（９５）を介して前記クランクウエブ（９２Ｌ）に対する前記パルサプレート（１００）の相対回転位置の位置決めがなされることを特徴とする請求項２に記載のクランクシャフトのパルサプレート取付構造。
【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
内燃機関のクランクケースに回転自在に軸支されるクランク軸部の端部に、ピン孔を有するクランクアーム部とカウンタウエイト部を一体に備えるクランクウエブが形成され、  対向する一対の前記クランクウエブの少なくとも一方のピン孔にクランクピンの一端部を嵌入して組み立てられるクランクシャフトにおける前記クランクウエブ（５２Ｌ；９２Ｌ）の前記クランク軸部（５１Ｌ；９１Ｌ）側の外側面（５２Ｌｓ，９２Ｌｓ）に、円環状のパルサプレート（６０；１００）が重ね合わされて取り付けられるクランクシャフトのパルサプレート取付構造において、
一方の前記クランクウエブ（５２Ｌ；９２Ｌ）は、その外側面に回転中心軸（Ｃ）を中心とし、前記ピン孔（５２Ｌｈ，９２Ｌｈ）を間に挟んで両端部（５３ｐ，５３ｑ；９３ｐ，９３ｑ）を有する円弧状突条部（５３，９３）を有し、
前記パルサプレート（６０；１００）が前記クランクウエブ（５２Ｌ；９２Ｌ）の前記円弧状突条部（５３，９３）に外嵌して前記クランクウエブ（５２Ｌ；９２Ｌ）に対する前記パルサプレート（６０；１００）の同心位置の位置決めがなされ、
前記パルサプレート（６０；１００）は内周縁から前記クランクアーム部に沿って前記円弧状突条部（５３；９３）の両端部（５３ｐ，５３ｑ；９３ｐ，９３ｑ）の間を前記クランク軸部（５１Ｌ；９１Ｌ）側に突出する係合突部（６４；１０４ｐ，１０４ｑ）を有し、
前記クランクピン（５５；９５）が前記ピン孔（５２Ｌｈ；９２Ｌｈ）に嵌入する嵌入構造の一部である被係合部（５３ｐ，５３ｑ；９５ｅ）に、前記係合突部（６４；１０４ｐ，１０４ｑ）が係合して、前記クランクウエブ（５２Ｌ；９２Ｌ）に対する前記パルサプレート（６０；１０４ｐ，１０４ｑ）の相対回転位置の位置決めがなされることを特徴とするクランクシャフトのパルサプレート取付構造。
【請求項２】
前記クランクウエブ（５２Ｌ）の前記円弧状突条部（５３）の前記ピン孔（５２Ｌｈ）を間に挟む両端部（５３ｐ，５３ｑ）が、前記被係合部（５３ｐ，５３ｑ）であり、
前記パルサプレート（６０）の前記係合突部（６４）が、前記円弧状突条部（５３）の前記被係合部（５３ｐ，５３ｑ）である両端部（５３ｐ，５３ｑ）の間に嵌入して係合することで、前記クランクウエブ（５２Ｌ）に対する前記パルサプレート（６０）の相対回転位置の位置決めがなされることを特徴とする請求項１に記載のクランクシャフトのパルサプレート取付構造。
【請求項３】
前記円弧状突条部（５３）の前記被係合部である両端部（５３ｐ，５３ｑ）の端面（５３ｐｆ，５３ｑｆ）は、前記クランクウエブ（５２Ｌ）の前記クランクアーム部（５２Ｌａ）に形成された前記ピン孔（５２Ｌｈ）の内周面と同一面上にあることを特徴とする請求項２に記載のクランクシャフトのパルサプレート取付構造。
【請求項４】
前記円弧状突条部（５３）の前記被係合部（５３ｐ，５３ｑ）である両端部（５３ｐ，５３ｑ）の端面は、前記ピン孔（５２Ｌｈ）の内周面と同一面上にある円弧状端面（５３ｐｆ，５３ｑｆ）であり、
前記パルサプレート（６０）の前記係合突部（６４）は、前記円弧状突条部（５３）の前記被係合部（５３ｐ，５３ｑ）である両端部（５３ｐ，５３ｑ）に形成された各円弧状端面（５３ｐｆ，５３ｑｆ）にそれぞれ接する円弧状側面（６４ｐｆ，６４ｑｆ）を有することを特徴とする請求項３に記載のクランクシャフトのパルサプレート取付構造。
【請求項５】
前記パルサプレート（６０）は、前記クランクウエブ（５２Ｌ）の外側面（５２Ｌｓ）の前記ピン孔（５２Ｌｈ）を挟んで両側に等分に離間した位置に溶接箇所（ｘ，ｙ，ｚ）が設けられることを特徴とする請求項４に記載のクランクシャフトのパルサプレート取付構造。
【請求項６】
前記パルサプレート（６０）は、その外周縁に複数の被検出歯（６１）が配列され、
隣り合う前記被検出歯（６１）の間隔は、一部特に大きい間隔の基準部位（６２）を除き等間隔であり、
前記クランクウエブ（５２Ｌ）は、前記パルサプレート（６０）の前記基準部位（６２）に対応する位置に切欠き溝部（５２Ｌｆ）を有することを特徴とする請求項５に記載のクランクシャフトのパルサプレート取付構造。
【請求項７】
前記パルサプレート（６０）の前記係合突部（６４）は、前記クランクピン（５５）の給油軸穴（５５ｈ）の開口の遠心側を覆うことを特徴とする請求項４ないし請求項６のいずれか１項に記載のクランクシャフトのパルサプレート取付構造。
【請求項８】
前記クランクウエブ（９２Ｌ）の前記ピン孔（９２Ｌｈ）に嵌入した前記クランクピン（９５）の突出端部（９５ｅ）が、前記被係合部（９５ｅ）であり、
前記パルサプレート（１００）の前記係合突部（１０４ｐ，１０４ｑ）が、前記パルサプレート（１００）の内周面（１０３）から前記クランク軸部（９１Ｌ）側に２本突出して、前記被係合部（９５ｅ）である前記クランクピン（９５）の突出端部（９５ｅ）を両側から挟むようにして係合することで、前記クランクピン（９５）を介して前記クランクウエブ（９２Ｌ）に対する前記パルサプレート（１００）の相対回転位置の位置決めがなされることを特徴とする請求項１に記載のクランクシャフトのパルサプレート取付構造。
【国際調査報告】
2020059360.tif 000017
2020059360.tif 000018
2020059360.tif 000019
2020059360.tif 000020